【事件の表示】
　特願２００６−２７２０２７「番組情報検索システム、放送受信装置、番組情報検索装置、番組情報検索方法及びプログラム」拒絶査定不服審判事件〔平成２０年　４月１７日出願公開、特開２００８−　９０６７８〕について、次のとおり審決する。
【結　論】
　本件審判の請求は、成り立たない。
【理　由】
　　
第１　手続の経緯 
　　
　本件審判請求に係る出願（以下、「本願」という。）は、平成１８年１０月３日の出願であって、平成２１年９月２５日付けで審査請求がなされ、平成２３年９月９日付けで拒絶理由通知（同年９月２０日発送）がなされ、同年１１月１４日付けで意見書が提出されるとともに、同日付けで手続補正がなされたが、平成２４年５月１０日付けで拒絶査定（同年５月１５日謄本送達）がなされたものである。
　これに対して、本件審判請求は、「原査定を取り消す、本願は特許をすべきものであるとの審決を求める。」ことを請求の趣旨として、平成２４年８月１５日付けで審判請求がなされるとともに、同日付けで手続補正がなされたものである。
　そして、平成２４年１０月１９日付けで審査官により特許法第１６４条第３項に定める報告（前置報告）がなされ、平成２５年４月１５日付けで当審により特許法第１３４条第４項の規定に基づく審尋（同年４月１６日発送）がなされたが、請求人からの応答がなかったものである。
　　
　　
第２　平成２４年８月１５日付けの手続補正についての補正却下の決定 
　　　
 ［補正却下の決定の結論］ 
　　　
 　平成２４年８月１５日付けの手続補正を却下する。
　　　
 ［理由］ 
　　
 １．補正の内容
　　
　平成２４年８月１５日付けの手続補正（以下、「本件補正」という。）の内容は、平成２３年１１月１４日付けの手続補正により補正された特許請求の範囲の請求項１乃至１８の記載
　　
「【請求項１】
　放送番組を受信する放送受信端末と、放送番組毎に固有の識別子が付された番組情報を提供するリゾルバサーバとが通信網を介して接続された番組情報検索システムであって、
　前記放送受信端末は、
　前記番組情報を記憶するローカル記憶部と、
　ユーザーの嗜好情報を取得する嗜好情報取得部と、
　前記嗜好情報と前記リゾルバサーバが番組情報を抽出する際の所定の環境条件とに基づいて、前記リゾルバサーバに番組情報を要求する番組情報要求部と、
　前記リゾルバサーバから送信された番組情報を受信する番組情報受信部と、を備え、
　前記リゾルバサーバは、
　前記番組情報を記憶するマスター記憶部と、
　前記嗜好情報及び前記環境条件に基づく番組情報の要求を前記放送受信端末から受信する番組情報要求受信部と、
　前記嗜好情報及び前記環境条件に適合する番組情報を前記識別子を用いて前記マスター記憶部から抽出する番組情報抽出部と、
　前記マスター記憶部から抽出された番組情報を前記放送受信端末へ送信する送信部と、
　を備えることを特徴とする、番組情報検索システム。
【請求項２】
　放送番組のメタデータとロケーション情報を対応づけて前記識別子を付与し、前記番組情報を作成する番組情報作成装置を更に備え、
　前記リゾルバサーバは、前記番組情報作成装置から前記番組情報を受け取ることを特徴とする、請求項１に記載の番組情報検索システム。
【請求項３】
　放送番組毎に固有の識別子が付された番組情報を提供するリゾルバサーバと接続される放送受信装置であって、
　前記リゾルバサーバから送信された前記番組情報を記憶する記憶部と、
　ユーザーの嗜好情報を取得する嗜好情報取得部と、
　前記嗜好情報と前記リゾルバサーバが番組情報を抽出する際の所定の環境条件とに基づいて、前記リゾルバサーバに番組情報の抽出を要求する番組情報抽出要求部と、
　前記リゾルバサーバから送信された番組情報を受信する番組情報受信部と、
　を備えることを特徴とする、放送受信装置。
【請求項４】
　前記嗜好情報取得部は、前記番組情報が利用された際の利用履歴に基づいて前記嗜好情報を取得することを特徴とする、請求項３に記載の放送受信装置。
【請求項５】
　前記記憶部に記憶された番組情報を、当該番組情報へのアクセス状況に応じて消去する番組情報消去部を更に備えることを特徴とする、請求項３に記載の放送受信装置。
【請求項６】
　番組が放送されるまでの期間、対象メディア、番組のキーワード、番組のジャンル、番組の出演者又は抽出の際の優先順位を含む前記所定の環境条件を設定する環境条件設定部を更に備え、
　前記番組情報抽出要求部は、前記環境条件に基づいて、前記リゾルバサーバに番組情報の抽出を要求することを特徴とする、請求項３に記載の放送受信装置。
【請求項７】
　前記リゾルバサーバが保持する特定の番組情報が更新された場合は、前記記憶部に記憶された当該特定の番組情報に対応する番組情報を更新する番組情報更新部を更に備えることを特徴とする、請求項３に記載の放送受信装置。
【請求項８】
　前記番組情報を表示する表示部を更に備え、前記表示部は、前記識別子に基づいて分類される複数の放送局の番組情報を一画面に表示することを特徴とする、請求項３に記載の放送受信装置。
【請求項９】
　前記リゾルバサーバが保持している番組情報が更新された場合は、前記表示部に表示された番組情報のうち、更新に関連する項目の表示状態を可変することを特徴とする、請求項８に記載の放送受信装置。
【請求項１０】
　前記表示部に表示された前記番組情報に関係する複数の項目を選択可能な選択部を備え、
　前記嗜好情報取得部は、選択された項目に基づいてユーザーの嗜好情報を取得することを特徴とする、請求項８に記載の放送受信装置。
【請求項１１】
　前記番組情報検索要求部は、ユーザーが要求する番組情報が前記記憶部に存在しない場合は、前記リゾルバサーバに当該番組情報の抽出を要求することを特徴とする、請求項３に記載の放送受信装置。
【請求項１２】
　放送番組毎に固有の識別子が付された番組情報を記憶する記憶部と、
　ユーザーの嗜好情報と番組情報を抽出する際の所定の環境条件とに基づく番組情報の要求を放送受信端末から受信する番組情報要求受信部と、
　前記嗜好情報及び前記環境条件に適合する番組情報を前記識別子を用いて前記記憶部から抽出する番組情報抽出部と、
　前記記憶部から抽出された番組情報を前記放送受信端末へ送信する送信部と、
　を備えることを特徴とする、番組情報検索装置。
【請求項１３】
　前記番組情報抽出部は、前記放送受信端末から送信された、番組が放送されるまでの期間、対象メディア、番組のキーワード、番組のジャンル、番組の出演者又は抽出の際の優先順位を含む前記所定の環境条件に基づいて、前記嗜好情報に適合する番組情報を抽出することを特徴とする、請求項１２に記載の番組情報検索装置。
【請求項１４】
　放送番組のメタデータとロケーション情報を対応づけて前記識別子を付与し、前記番組情報を作成する番組情報作成装置と接続され、前記番組情報作成装置から前記番組情報を受け取ることを特徴とする、請求項１２に記載の番組情報検索装置。
【請求項１５】
　前記送信部は、前記記憶部が保持している前記番組情報が更新された場合は、更新に関連する情報を前記放送受信端末に送信することを特徴とする、請求項１２に記載の番組情報検索装置。
【請求項１６】
　放送番組を受信する放送受信端末と、放送番組毎に固有の識別子が付された番組情報を提供するリゾルバサーバとが通信網を介して接続された番組情報検索システムで用いられる番組情報検索方法であって、
　ユーザーの嗜好情報と前記リゾルバサーバが番組情報を抽出する際の所定の環境条件とを取得するステップと、
　前記嗜好情報及び前記環境条件に基づいて、前記放送受信端末から前記リゾルバサーバに番組情報を要求するステップと、
　前記リゾルバサーバが備えるマスター記憶部から、前記嗜好情報及び前記環境条件に適合する番組情報を前記識別子を用いて抽出するステップと、
　抽出した番組情報を前記リゾルバサーバから前記放送受信端末へ送信し、前記放送受信端末のローカル記憶部に記憶するステップと、
　を有することを特徴とする、番組情報検索方法。
【請求項１７】
　番組情報を提供するリゾルバサーバから、放送番組毎に固有の識別子が付された番組情報を受信する手段、
　前記番組情報を記憶する手段、
　ユーザーの嗜好情報と前記リゾルバサーバが番組情報を抽出する際の所定の環境条件とを取得する手段、
　前記嗜好情報及び前記環境条件に基づいて、前記リゾルバサーバに前記番組情報の抽出を要求する手段、
　としてコンピュータを機能させるためのプログラム。
【請求項１８】
　放送番組毎に固有の識別子が付された番組情報を記憶する手段、
　ユーザーの嗜好情報と番組情報を抽出する際の所定の環境条件とに基づく番組情報の要求を放送受信端末から受信する手段、
　前記嗜好情報及び前記環境条件に適合する番組情報を前記識別子を用いて前記記憶部から抽出する手段、
　前記記憶部から抽出された番組情報を前記放送受信端末へ送信する手段、
　としてコンピュータを機能させるためのプログラム。」（以下、この特許請求の範囲に記載された請求項を「補正前の請求項」という。）
　　
を、
　　
「【請求項１】
　放送番組を受信する放送受信端末と、放送番組毎に固有の識別子が付された番組情報を提供するリゾルバサーバとが通信網を介して接続された番組情報検索システムであって、
　前記放送受信端末は、
　前記番組情報を
ユーザーの利用履歴に応じて
　ユーザーの嗜好情報を取得する嗜好情報取得部と、
　前記嗜好情報と前記リゾルバサーバが番組情報を抽出する際の所定の環境条件とに基づいて、前記リゾルバサーバに番組情報を要求する番組情報要求部と、
　前記リゾルバサーバから送信された番組情報を受信する番組情報受信部と、を備え、
　前記リゾルバサーバは、
　前記番組情報を記憶するマスター記憶部と、
　前記嗜好情報及び前記環境条件に基づく番組情報の要求を前記放送受信端末から受信する番組情報要求受信部と、
　前記嗜好情報及び前記環境条件に適合する番組情報を前記識別子を用いて前記マスター記憶部から抽出する番組情報抽出部と、
　前記マスター記憶部から抽出された番組情報を前記放送受信端末へ送信する送信部と、
　を備えることを特徴とする、番組情報検索システム。
【請求項２】
　放送番組のメタデータとロケーション情報を対応づけて前記識別子を付与し、前記番組情報を作成する番組情報作成装置を更に備え、
　前記リゾルバサーバは、前記番組情報作成装置から前記番組情報を受け取ることを特徴とする、請求項１に記載の番組情報検索システム。
【請求項３】
　放送番組毎に固有の識別子が付された番組情報を提供するリゾルバサーバと接続される放送受信装置であって、
　前記リゾルバサーバから送信された前記番組情報を
ユーザーの利用履歴に応じて
　ユーザーの嗜好情報を取得する嗜好情報取得部と、
　前記嗜好情報と前記リゾルバサーバが番組情報を抽出する際の所定の環境条件とに基づいて、前記リゾルバサーバに番組情報の抽出を要求する番組情報抽出要求部と、
　前記リゾルバサーバから送信された番組情報を受信する番組情報受信部と、
　を備えることを特徴とする、放送受信装置。
【請求項４】
　前記嗜好情報取得部は、前記番組情報が利用された際の利用履歴に基づいて前記嗜好情報を取得することを特徴とする、請求項３に記載の放送受信装置。
【請求項５】
　前記記憶部に記憶された番組情報を、当該番組情報へのアクセス状況に応じて消去する番組情報消去部を更に備えることを特徴とする、請求項３に記載の放送受信装置。
【請求項６】
　番組が放送されるまでの期間、対象メディア、番組のキーワード、番組のジャンル、番組の出演者又は抽出の際の優先順位を含む前記所定の環境条件を設定する環境条件設定部を更に備え、
　前記番組情報抽出要求部は、前記環境条件に基づいて、前記リゾルバサーバに番組情報の抽出を要求することを特徴とする、請求項３に記載の放送受信装置。
【請求項７】
　前記リゾルバサーバが保持する特定の番組情報が更新された場合は、前記記憶部に記憶された当該特定の番組情報に対応する番組情報を更新する番組情報更新部を更に備えることを特徴とする、請求項３に記載の放送受信装置。
【請求項８】
　前記番組情報を表示する表示部を更に備え、前記表示部は、前記識別子に基づいて分類される複数の放送局の番組情報を一画面に表示することを特徴とする、請求項３に記載の放送受信装置。
【請求項９】
　前記リゾルバサーバが保持している番組情報が更新された場合は、前記表示部に表示された番組情報のうち、更新に関連する項目の表示状態を可変することを特徴とする、請求項８に記載の放送受信装置。
【請求項１０】
　前記表示部に表示された前記番組情報に関係する複数の項目を選択可能な選択部を備え、
　前記嗜好情報取得部は、選択された項目に基づいてユーザーの嗜好情報を取得することを特徴とする、請求項８に記載の放送受信装置。
【請求項１１】
　前記番組情報検索要求部は、ユーザーが要求する番組情報が前記記憶部に存在しない場合は、前記リゾルバサーバに当該番組情報の抽出を要求することを特徴とする、請求項３に記載の放送受信装置。
【請求項１２】
　放送番組を受信する放送受信端末と、放送番組毎に固有の識別子が付された番組情報を提供するリゾルバサーバとが通信網を介して接続された番組情報検索システムで用いられる番組情報検索方法であって、
　ユーザーの嗜好情報と前記リゾルバサーバが番組情報を抽出する際の所定の環境条件とを取得するステップと、
　前記嗜好情報及び前記環境条件に基づいて、前記放送受信端末から前記リゾルバサーバに番組情報を要求するステップと、
　前記リゾルバサーバが備えるマスター記憶部から、前記嗜好情報及び前記環境条件に適合する番組情報を前記識別子を用いて抽出するステップと、
　抽出した番組情報を前記リゾルバサーバから前記放送受信端末へ送信し、前記放送受信端末のローカル記憶部に
ユーザーの利用履歴に応じて
　を有することを特徴とする、番組情報検索方法。
【請求項１３】
　番組情報を提供するリゾルバサーバから、放送番組毎に固有の識別子が付された番組情報を受信する手段、
　前記番組情報を
ユーザーの利用履歴に応じて
　ユーザーの嗜好情報と前記リゾルバサーバが番組情報を抽出する際の所定の環境条件とを取得する手段、
　前記嗜好情報及び前記環境条件に基づいて、前記リゾルバサーバに前記番組情報の抽出を要求する手段、
　としてコンピュータを機能させるためのプログラム。」（以下、この特許請求の範囲に記載された請求項を「補正後の請求項」という。）
　　
に補正するものである。
　　
　　
２．新規事項追加禁止要件
　　
　本件補正により、補正前の請求項１の「前記番組情報を記憶するローカル記憶部」は、補正後の請求項１の「前記番組情報をユーザーの利用履歴に応じて記憶するローカル記憶部」に変更されたが、これにより本願明細書の記載と整合しなくなった。すなわち、本願明細書では、「放送受信端末」が備えた「番組情報」を記憶するための「ローカルＣＲＩＤデータベース１４７８」に関し、段落【００８１】の「放送受信端末１４００は、蓄積された嗜好情報に基づいて、嗜好情報に適合する番組のＧ−ＣＲＩＤをマスターＣＲＩＤデータベース１３１０から自動で取得し、ローカルＣＲＩＤデータベース１４７８に蓄積する。」，段落【００８６】の「次に、図１０に基づいて、嗜好情報をもとにマスターＣＲＩＤデータベース１３１０からローカルＣＲＩＤデータベース１４７８へ番組情報のＧ−ＣＲＩＤを格納する方法の一例を詳細に説明する。」，段落【００９０】の「ここでは、環境設定で設定された期間を対象にして、嗜好情報ファイル、環境設定ファイルの記述に基づいて、マスターＣＲＩＤデータベース１３１０内のＧ−ＣＲＩＤから１００番組を取得するものとする。」との記載があり、「ローカルＣＲＩＤデータベース」に格納される「番組情報」は、「嗜好情報」または「嗜好情報と環境条件」に基づき取得される旨が記載されていると認められる。確かに、本願明細書の段落【００８４】の「図９は、嗜好情報の一例を示す模式図である。図９に示す嗜好情報は、番組の利用に応じて蓄積されたユーザーの嗜好に基づいて記述される。また、嗜好情報は、ユーザーが放送受信端末１４００を操作することで入力しても良い。」との記載があり、ユーザーの利用履歴から嗜好情報が生成される場合もある旨が記載されているが、その場合でも「番組情報」は「嗜好情報」に基づき取得され、「ローカルＣＲＩＤデータベース」に格納されるのであるから、「前記番組情報をユーザーの利用履歴に応じて記憶するローカル記憶部」に変更した本件補正は本願明細書の記載に整合していない。
　そもそも、補正後の請求項１には、「前記リゾルバサーバは、…（中略）…前記嗜好情報及び前記環境条件に適合する番組情報を前記識別子を用いて前記マスター記憶部から抽出する番組情報抽出部と、前記マスター記憶部から抽出された番組情報を前記放送受信端末へ送信する送信部と、」と記載されており、「放送受信端末」が受信する「番組情報」は「前記嗜好情報及び前記環境条件に適合する」ものであるから、「前記番組情報をユーザーの利用履歴に応じて記憶するローカル記憶部」の記載は、補正後の請求項１の他の構成の記載とも整合していない。
　したがって、補正後の請求項１の「前記番組情報をユーザーの利用履歴に応じて記憶するローカル記憶部」は、本願の願書に最初に添付した明細書、特許請求の範囲又は図面（以下、「当初明細書等」という。）には記載されておらず、また当初明細書等の記載からみて自明な事項でもない。
　　
　また、補正後の請求項３の「前記リゾルバサーバから送信された前記番組情報をユーザーの利用履歴に応じて記憶する記憶部」，補正後の請求項１２の「前記放送受信端末のローカル記憶部にユーザーの利用履歴に応じて記憶するステップ」，補正後の請求項１３の「前記番組情報をユーザーの利用履歴に応じて記憶する手段」についても、上記の補正後の請求項１の「前記番組情報をユーザーの利用履歴に応じて記憶するローカル記憶部」と同様の理由により、本願の願書に最初に添付した明細書、特許請求の範囲又は図面には記載されておらず、また当初明細書等の記載からみて自明な事項でもない。
　　
　したがって、本件補正は、平成１８年法律第５５号改正附則第３条第１項の規定によりなお従前の例によるとされる同法による改正前の特許法第１７条の２第３項の規定に違反する。
　　
　　
３．目的要件
　　
　仮に、本件補正が新規事項追加でないとして、以下、検討を続ける。
　　
　本件補正は、補正前の請求項１２乃至１５，１８を削除するものであるから、平成１８年法律第５５号改正附則第３条第１項の規定によりなお従前の例によるとされる同法による改正前の特許法第１７条の２第４項第１号に掲げる請求項の削除を目的とするものに該当する。
　また、本件補正は、補正前の請求項１に記載した発明を特定するために必要な事項である「前記番組情報を記憶するローカル記憶部」を「前記番組情報をユーザーの利用履歴に応じて記憶するローカル記憶部」に限定し、補正前の請求項３に記載した発明を特定するために必要な事項である「前記リゾルバサーバから送信された前記番組情報を記憶する記憶部」を「前記リゾルバサーバから送信された前記番組情報をユーザーの利用履歴に応じて記憶する記憶部」に限定し、補正前の請求項１６に記載した発明を特定するために必要な事項である「前記放送受信端末のローカル記憶部に記憶するステップ」を「前記放送受信端末のローカル記憶部にユーザーの利用履歴に応じて記憶するステップ」に限定し、補正前の請求項１７に記載した発明を特定するために必要な事項である「前記番組情報を記憶する手段」を「前記番組情報をユーザーの利用履歴に応じて記憶する手段」に限定するものであるから、平成１８年法律第５５号改正附則第３条第１項によりなお従前の例によるとされる同法による改正前の特許法第１７条の２第４項第２号に掲げる特許請求の範囲の減縮を目的とするものに該当する。
　　
　したがって、本件補正は、平成１８年法律第５５号改正附則第３条第１項の規定によりなお従前の例によるとされる同法による改正前の特許法第１７条の２第４項の規定に適合する。
　　
　　
４．独立特許要件
　　
　以上のように、本件補正後の請求項１２に記載された発明（以下、「本件補正発明」という。）は、補正前の請求項１６に対して、限定的減縮を行ったものと認められる。そこで、本件補正発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）以下に検討する。
　　
（１）本件補正発明
　　
　本件補正により、本件補正発明は、前記「１．補正の内容」の補正後の請求項１２に記載されたとおりのものである。
　　
「放送番組を受信する放送受信端末と、放送番組毎に固有の識別子が付された番組情報を提供するリゾルバサーバとが通信網を介して接続された番組情報検索システムで用いられる番組情報検索方法であって、
　ユーザーの嗜好情報と前記リゾルバサーバが番組情報を抽出する際の所定の環境条件とを取得するステップと、
　前記嗜好情報及び前記環境条件に基づいて、前記放送受信端末から前記リゾルバサーバに番組情報を要求するステップと、
　前記リゾルバサーバが備えるマスター記憶部から、前記嗜好情報及び前記環境条件に適合する番組情報を前記識別子を用いて抽出するステップと、
　抽出した番組情報を前記リゾルバサーバから前記放送受信端末へ送信し、前記放送受信端末のローカル記憶部にユーザーの利用履歴に応じて記憶するステップと、
　を有することを特徴とする、番組情報検索方法。」
　　
　　
（２）引用文献に記載されている技術的事項及び引用発明の認定
　　
　本願の出願前に頒布され、原審の拒絶査定の理由である上記平成２３年９月９日付けの拒絶理由通知において引用された、米国特許出願公開第２００３／００２０７４４号明細書（平成１５年１月３０日出願公開（米国）、以下、「引用文献」という。訳には、パテントファミリーである特表２００２−５３０９６９号公報を参照した。）には、関連する図面とともに、以下の技術的事項が記載されている。
　　
Ａ　「[0039]  The program guide data transmitted by main facility  12  to interactive television program guide equipment  17  may include television programming data (e.g., program identifiers, times, channels, titles, descriptions, series identifiers, etc.) and other data for services other than television program listings (e.g., help text, pay-per-view information, weather information, sports information, music channel information, associated Internet web links, associated software, etc.). There are preferably numerous pieces or installations of interactive television program guide equipment  17 , although only one is shown in  FIG. 1  to avoid over-complicating the drawing.」
訳；「[0039]　主設備１２によって双方向テレビ番組ガイド機器１７へと伝送される番組ガイドデータは、テレビ番組データ（例えば、番組識別子、時間、チャンネル、タイトル、詳細、シリーズ識別子等）と、テレビ番組リスト項目以外のサービス用の他のデータ（例えば、ヘルプテキスト、ペイ・パー・ビュー情報、気象情報、スポーツ情報、音楽チャンネル、関連付けられたインターネットウェブリンク、関連付けられたソフトウェア等）とを含み得る。膨大な数の双方向テレビ番組ガイド機器１７をインストールするのが好ましいが、図面が過度に複雑になるのを避けるため、図１中では双方向テレビ番組ガイド機器１７を１つだけ図示している。」
　　
Ｂ　「[0041]  A client-server based interactive television program guide is implemented on interactive television program guide equipment  17 . Three illustrative arrangements for interactive television program guide equipment  17  are shown in  FIGS. 2a - 2c .  FIG. 2a  shows an illustrative arrangement for interactive television program guide equipment  17  in which a program guide server obtains program guide data directly from main facility  12 .  FIG. 2b  shows an illustrative arrangement for interactive television program guide equipment  17  in which a program guide server obtains program guide data from main facility  12  or some other facility (e.g., local information service  15 ) via the Internet. In either of these approaches, users may be provided with opportunities to access program guide data without having to navigate the Internet, if desired. As shown in  FIGS. 2a  and  2b , interactive program guide television equipment  17  may include television distribution facility  16  and user television equipment  22 .
[0042]  Television distribution facility  16  may have program guide distribution equipment  21  and program guide server  25 . Distribution equipment  21  is equipment suitable for providing program guide data from program guide server  25  to user television equipment  22  over communications path  20 .」
訳；「[0041]　クライアント−サーバに基づいた双方向テレビ番組ガイドは、双方向テレビ番組ガイド機器１７上にインプリメントされる。図２ａ〜２ｃは、双方向テレビ番組ガイド機器１７の３種類の例示的構成を示す。図２ａは、番組ガイドサーバが主設備１２から直接番組ガイドデータを取得する双方向テレビ番組ガイド機器１７の例示的構成を示す。図２ｂは、番組ガイドサーバが主設備１２または何らかの他の設備（例えば、ローカル情報サービス１５）からインターネットを通じて番組ガイドデータを取得する双方向テレビ番組ガイド機器１７の例示的構成を示す。これらのアプローチのいづれにおいても、所望ならば、インターネットをナビゲートしなくても番組ガイドデータにアクセスする機会がユーザに与えられ得る。図２ａおよび２ｂにおいて、双方向テレビ番組ガイド機器１７は、テレビ配信設備１６およびユーザテレビ機器２２を含み得る。
[0042]　テレビ配信設備１６は、番組ガイド配信機器２１および番組ガイドサーバ２５を有し得る。配信機器２１は、通信経路２０を通じて番組ガイドサーバ２５からユーザテレビ機器２２へと番組ガイドデータを提供するのに適した機器である。」
　　
Ｃ　「[0044]  Program guide server  25  may be based on any suitable combination of server software and hardware. Program guide server  25  may retrieve program guide data or video files from storage device  56  in response to program guide data or video requests generated by an interactive television program guide client implemented on user television equipment  22 . As shown in  FIGS. 2a  and  2b , program guide server  25  may include processing circuitry  54  and storage device  56 . Processing circuitry  54  may include any suitable processor, such as a microprocessor or group of microprocessors, and other processing circuitry such as caching circuitry, video decoding circuitry, direct memory access (DMA) circuitry, input/output (I/O) circuitry, etc.」
訳；「[0044]　番組ガイドサーバ２５は、サーバソフトウェアとサーバハードウェアとの任意の適切な組み合せに基づき得る。番組ガイドサーバ２５は、ユーザテレビ機器２２にインプリメントされた双方向テレビ番組ガイドクライアントにより生成される番組ガイドデータリクエストまたは映像リクエストに応答して、格納デバイス５６から番組ガイドデータまたは映像ファイルを取り出し得る。図２ａおよび２ｂに示すように、番組ガイドサーバ２５は、処理回路５４および格納デバイス５６を含み得る。処理回路５４は、任意の適切なプロセッサ（例えば、１つのマイクロプロセッサまたはマイクロプロセッサ群）および他の処理回路（例えば、キャッシュ回路、映像解読回路、ダイレクトメモリアクセス（ＤＭＡ）回路、入力／出力（Ｉ／Ｏ）回路等）を含み得る。」
　　
Ｄ　「[0060]  A more generalized embodiment of user television equipment  22  of  FIG. 3  is shown in  FIG. 4 . As shown in  FIG. 4 , program guide data from television distribution facility  16  ( FIG. 1 ) and programming are received by control circuitry  42  of user television equipment  22 . The functions of control circuitry  42  may be provided using the set-top box arrangement of  FIGS. 2a  and  2b . Alternatively, these functions may be integrated into an advanced television receiver, personal computer television (PC/TV) such as shown in  FIG. 2c , or any other suitable arrangement. If desired, a combination of such arrangements may be used.
 …（中略）…
[0062]  User television equipment  22  may also have memory  63 . Memory  63  may be any memory or other storage device, such as a random access memory (RAM), read only memory (ROM), flash memory, a hard disk drive, a combination of such devices, etc., that is suitable for storing program guide client instructions and program guide data for use by control circuitry  42 .」
訳；「[0060]　図４は、図３のユーザテレビ機器２２の実施形態をより一般化したものである。図４に示すように、テレビ配信設備１６（図１）からの番組ガイドデータおよび番組は、ユーザテレビ機器２２の制御回路４２により受信される。制御回路４２の機能は、図２ａおよび２ｂのセットトップボックス構成を用いて提供され得る。あるいは、制御回路４２の機能は、高度なテレビ受信器、図２ｃに示すようなパーソナルコンピュータテレビ（ＰＣ／ＴＶ）、または他のあらゆる適切な構成に組み込まれ得る。所望ならば、このような構成の組み合せを用いてもよい。
…（中略）…
[0062]　ユーザテレビ機器２２はまた、メモリ６３も有し得る。メモリ６３は、制御回路４２により用いられる番組ガイドクライアントの命令および番組ガイドデータを格納するのに適切な任意のメモリまたは他の格納デバイス（例えば、ランダムアクセスメモリ（ＲＡＭ）、読み出し専用メモリ（ＲＯＭ）、フラッシュメモリ、ハードディスクドライブ、このようなデバイスの組み合せ等）であり得る。」
　　
Ｅ　「[0111]  The program guide may make personalized viewing recommendations based on the viewing histories, preference profiles, or any suitable combination thereof. Program guide server  25  may, for example, construct relational database expressions from the viewing histories that define expressions for the program categories and ratings for programs that users have watched, scheduled reminders for, searched for, or ordered the most. Program guide server  25  may then apply user preference profile criteria to the programs, and generate personal viewing recommendations. In still another suitable approach, program guide server  25  or the program guide client may filter viewing recommendations that are generated by main facility  12  or television distribution facility  16  based on similar expressions, profiles, viewing histories, etc.」
訳；「[0111]　番組ガイドは、視聴履歴、選好プロフィール、またはこれらの任意の適切な組み合せに基づいて、個人用にされた視聴推薦を行い得る。番組ガイドサーバ２５は、例えば、番組カテゴリおよびユーザが見た番組の格付け、リマインダが予約された番組、サーチされた番組、または最も注文が多かった番組についての式を定義する視聴履歴から、リレーショナルデータベース式を構築し得る。次いで、番組ガイドサーバ２５は、番組にユーザ選好プロフィール基準を適用し、個人向けの視聴推薦を生成し得る。さらに別のアプローチにおいて、番組ガイドサーバ２５または番組ガイドクライアントは、同様の式、プロフィール、視聴履歴等に基づいて、主設備１２またはテレビ配信設備１６によって生成される視聴推薦をフィルタリングし得る。」
　　
Ｆ　「[0114] FIG. 21  shows a flowchart of illustrative steps involved in storing preference profiles on program guide server  25 . If desired, the steps shown may be performed in a client-server interactive program guide system in which users are not required to navigate the Internet. At step  2000 , the program guide client running on user television equipment  22  provides a user with an opportunity to define a preference profile. The preference profile may include user selected or defined levels of desirability of various program characteristics, such as genre and rating. Users may define preference profiles by, for example, selecting a profile (step  2002 ) and selecting criteria (step  2004 ) such as attribute types (step  2006 ) and attributes (step  2008 ). Preference profiles may, for example, be created as database files (e.g., SQL files) containing suitable database expressions that are provided to program guide server  25 . Program guide server  25  may store the preference profiles at step  2012 . 
[0115]  Program guide data is provided from program guide server  25  to the program guide client and is displayed by the program guide client at steps  2020  and  2030 , respectively. Program guide server  25  or the program guide client may use preference profiles to filter out undesirable program guide data. This may be accomplished using any suitable approach. Program guide server  25  may, for example, only provide program listings information or other program guide data that meets the preference profile or profiles to the program guide client (step  2025 ). Alternatively, program guide server  25  may provide program guide data, other information, or videos to the program guide client and the program guide client may filter the data, other information, or videos by displaying only those elements that meet the preference profile or profiles (step  2035 ).」
訳；「[0114]　図２１は、選好プロフィールを番組ガイドサーバ２５に格納する際の例示的工程のフローチャートを示す。所望ならば、図２１に示す工程は、ユーザがインターネットをナビゲートする必要の無いクライアント−サーバ双方向番組ガイドシステムにおいて行われ得る。工程２０００において、ユーザテレビ機器２２上で動作する番組ガイドクライアントは、選好プロフィールを定義する機会をユーザに提供する。選好プロフィールは、ユーザが選択または定義した様々な番組特性（例えば、ジャンルおよび格付け等）の所望度（ｄｅｓｉｒａｂｉｌｉｔｙ）レベルを含み得る。ユーザは、例えばプロフィールを選択し（工程２００２）、基準（例えば、属性の種類（工程２００６）および属性（工程２００８）等）を選択（工程２００４）することにより、選好プロフィールを定義し得る。選好プロフィールは、例えば、番組ガイドサーバ２５に提供される適切なデータベース式を含むデータベースファイル（例えば、ＳＱＬファイル等）として生成され得る。工程２０１２において、番組ガイドサーバ２５は、選好プロフィールを格納し得る。
[0115]　番組ガイドデータは、工程２０２０において番組ガイドサーバ２５から番組ガイドクライアントへと提供され、工程２０３０において番組ガイドクライアントによって表示される。番組ガイドサーバ２５または番組ガイドクライアントは、選好プロフィールを用いて、望ましくない番組ガイドデータをフィルタリング除去する。このフィルタリング除去工程は、任意の適切なアプローチを用いて達成され得る。番組ガイドサーバ２５は、例えば、選好プロフィール（単数または複数）を満たす番組リスト項目情報または他の番組ガイドデータのみを番組ガイドクライアントに提供し得る（工程２０２５）。あるいは、番組ガイドサーバ２５は、番組ガイドデータ、他の情報、または映像を番組ガイドクライアントに提供し得、番組ガイドクライアントは、選好プロフィール（単数または複数）を満たす要素のみを表示することにより、それらのデータ、他の情報、または映像をフィルタリングし得る（工程２０３５）。」
　　
　ここで、上記引用文献に記載されている事項を検討する。
　　
（ア）上記Ａの「[0039] The program guide data transmitted by main facility  12  to interactive television program guide equipment  17  may include television programming data (e.g., program identifiers, times, channels, titles, descriptions, series identifiers, etc.) and other data for services other than television program listings (e.g., help text, pay-per-view information, weather information, sports information, music channel information, associated Internet web links, associated software, etc.).（訳；[0039]　主設備１２によって双方向テレビ番組ガイド機器１７へと伝送される番組ガイドデータは、テレビ番組データ（例えば、番組識別子、時間、チャンネル、タイトル、詳細、シリーズ識別子等）と、テレビ番組リスト項目以外のサービス用の他のデータ（例えば、ヘルプテキスト、ペイ・パー・ビュー情報、気象情報、スポーツ情報、音楽チャンネル、関連付けられたインターネットウェブリンク、関連付けられたソフトウェア等）とを含み得る。）」との記載からみて、「双方向テレビ番組ガイド機器」が利用する「番組ガイドデータ」は、テレビ番組毎の「番組識別子」を含むものである。
　また、上記Ｂの「FIG. 2a  shows an illustrative arrangement for interactive television program guide equipment  17  in which a program guide server obtains program guide data directly from main facility  12 .  FIG. 2b  shows an illustrative arrangement for interactive television program guide equipment  17  in which a program guide server obtains program guide data from main facility  12  or some other facility (e.g., local information service  15 ) via the Internet. In either of these approaches, users may be provided with opportunities to access program guide data without having to navigate the Internet, if desired. As shown in  FIGS. 2a  and  2b , interactive program guide television equipment  17  may include television distribution facility  16  and user television equipment  22 . [0042]  Television distribution facility  16  may have program guide distribution equipment  21  and program guide server  25 . Distribution equipment  21  is equipment suitable for providing program guide data from program guide server  25  to user television equipment  22  over communications path  20 .（訳；図２ａは、番組ガイドサーバが主設備１２から直接番組ガイドデータを取得する双方向テレビ番組ガイド機器１７の例示的構成を示す。図２ｂは、番組ガイドサーバが主設備１２または何らかの他の設備（例えば、ローカル情報サービス１５）からインターネットを通じて番組ガイドデータを取得する双方向テレビ番組ガイド機器１７の例示的構成を示す。これらのアプローチのいづれにおいても、所望ならば、インターネットをナビゲートしなくても番組ガイドデータにアクセスする機会がユーザに与えられ得る。図２ａおよび２ｂにおいて、双方向テレビ番組ガイド機器１７は、テレビ配信設備１６およびユーザテレビ機器２２を含み得る。[0042]　テレビ配信設備１６は、番組ガイド配信機器２１および番組ガイドサーバ２５を有し得る。配信機器２１は、通信経路２０を通じて番組ガイドサーバ２５からユーザテレビ機器２２へと番組ガイドデータを提供するのに適した機器である。）」との記載からすると、「双方向テレビ番組ガイド機器」は「ユーザテレビ機器」および「番組ガイドサーバ」を含むことは明らかであり、「通信経路」を通じて「番組ガイドサーバ」から「ユーザテレビ機器」へと「番組ガイドデータ」が提供されることから、引用文献には、
「テレビ番組を受信するユーザテレビ機器と、番組識別子を含む番組ガイドデータを提供する番組ガイドサーバとが通信経路を通じて接続された双方向テレビ番組ガイド機器で用いられる番組ガイドデータ提供方法」
が記載されていると解される。
　　
（イ）上記Ｃの「[0044] Program guide server  25  may be based on any suitable combination of server software and hardware. Program guide server  25  may retrieve program guide data or video files from storage device  56  in response to program guide data or video requests generated by an interactive television program guide client implemented on user television equipment  22 . As shown in  FIGS. 2a  and  2b , program guide server  25  may include processing circuitry  54  and storage device  56 .（訳；[0044]　番組ガイドサーバ２５は、サーバソフトウェアとサーバハードウェアとの任意の適切な組み合せに基づき得る。番組ガイドサーバ２５は、ユーザテレビ機器２２にインプリメントされた双方向テレビ番組ガイドクライアントにより生成される番組ガイドデータリクエストまたは映像リクエストに応答して、格納デバイス５６から番組ガイドデータまたは映像ファイルを取り出し得る。図２ａおよび２ｂに示すように、番組ガイドサーバ２５は、処理回路５４および格納デバイス５６を含み得る。）」との記載、上記Ｅの「[0111] The program guide may make personalized viewing recommendations based on the viewing histories, preference profiles, or any suitable combination thereof. Program guide server  25  may, for example, construct relational database expressions from the viewing histories that define expressions for the program categories and ratings for programs that users have watched, scheduled reminders for, searched for, or ordered the most. Program guide server  25  may then apply user preference profile criteria to the programs, and generate personal viewing recommendations. In still another suitable approach, program guide server  25  or the program guide client may filter viewing recommendations that are generated by main facility  12  or television distribution facility  16  based on similar expressions, profiles, viewing histories, etc.（訳；[0111]　番組ガイドは、視聴履歴、選好プロフィール、またはこれらの任意の適切な組み合せに基づいて、個人用にされた視聴推薦を行い得る。番組ガイドサーバ２５は、例えば、番組カテゴリおよびユーザが見た番組の格付け、リマインダが予約された番組、サーチされた番組、または最も注文が多かった番組についての式を定義する視聴履歴から、リレーショナルデータベース式を構築し得る。次いで、番組ガイドサーバ２５は、番組にユーザ選好プロフィール基準を適用し、個人向けの視聴推薦を生成し得る。さらに別のアプローチにおいて、番組ガイドサーバ２５または番組ガイドクライアントは、同様の式、プロフィール、視聴履歴等に基づいて、主設備１２またはテレビ配信設備１６によって生成される視聴推薦をフィルタリングし得る。）」との記載からすると、「番組ガイドサーバ」は「番組ガイドデータ」を「格納デバイス」に格納し、ユーザの「選好プロフィール」のほか、「視聴履歴」に基づき「番組ガイドデータ」を視聴推薦していることから、引用文献には、
「番組ガイドサーバが備える格納デバイスから、ユーザの選好プロフィール、視聴履歴等に基づき番組ガイドデータを抽出するステップ」
が記載されていると解される。
　　
（ウ）上記Ｃの「[0044] Program guide server  25  may be based on any suitable combination of server software and hardware. Program guide server  25  may retrieve program guide data or video files from storage device  56  in response to program guide data or video requests generated by an interactive television program guide client implemented on user television equipment  22 .（訳；[0044]　番組ガイドサーバ２５は、サーバソフトウェアとサーバハードウェアとの任意の適切な組み合せに基づき得る。番組ガイドサーバ２５は、ユーザテレビ機器２２にインプリメントされた双方向テレビ番組ガイドクライアントにより生成される番組ガイドデータリクエストまたは映像リクエストに応答して、格納デバイス５６から番組ガイドデータまたは映像ファイルを取り出し得る。）」との記載、上記Ｆの「At step  2000 , the program guide client running on user television equipment  22  provides a user with an opportunity to define a preference profile. The preference profile may include user selected or defined levels of desirability of various program characteristics, such as genre and rating. Users may define preference profiles by, for example, selecting a profile (step  2002 ) and selecting criteria (step  2004 ) such as attribute types (step  2006 ) and attributes (step  2008 ). Preference profiles may, for example, be created as database files (e.g., SQL files) containing suitable database expressions that are provided to program guide server  25 . Program guide server  25  may store the preference profiles at step  2012 . [0115]  Program guide data is provided from program guide server  25  to the program guide client and is displayed by the program guide client at steps  2020  and  2030 , respectively. Program guide server  25  or the program guide client may use preference profiles to filter out undesirable program guide data. This may be accomplished using any suitable approach. Program guide server  25  may, for example, only provide program listings information or other program guide data that meets the preference profile or profiles to the program guide client (step  2025 ). Alternatively, program guide server  25  may provide program guide data, other information, or videos to the program guide client and the program guide client may filter the data, other information, or videos by displaying only those elements that meet the preference profile or profiles (step  2035 ).（訳；工程２０００において、ユーザテレビ機器２２上で動作する番組ガイドクライアントは、選好プロフィールを定義する機会をユーザに提供する。選好プロフィールは、ユーザが選択または定義した様々な番組特性（例えば、ジャンルおよび格付け等）の所望度（ｄｅｓｉｒａｂｉｌｉｔｙ）レベルを含み得る。ユーザは、例えばプロフィールを選択し（工程２００２）、基準（例えば、属性の種類（工程２００６）および属性（工程２００８）等）を選択（工程２００４）することにより、選好プロフィールを定義し得る。選好プロフィールは、例えば、番組ガイドサーバ２５に提供される適切なデータベース式を含むデータベースファイル（例えば、ＳＱＬファイル等）として生成され得る。工程２０１２において、番組ガイドサーバ２５は、選好プロフィールを格納し得る。[0115]　番組ガイドデータは、工程２０２０において番組ガイドサーバ２５から番組ガイドクライアントへと提供され、工程２０３０において番組ガイドクライアントによって表示される。番組ガイドサーバ２５または番組ガイドクライアントは、選好プロフィールを用いて、望ましくない番組ガイドデータをフィルタリング除去する。このフィルタリング除去工程は、任意の適切なアプローチを用いて達成され得る。番組ガイドサーバ２５は、例えば、選好プロフィール（単数または複数）を満たす番組リスト項目情報または他の番組ガイドデータのみを番組ガイドクライアントに提供し得る（工程２０２５）。あるいは、番組ガイドサーバ２５は、番組ガイドデータ、他の情報、または映像を番組ガイドクライアントに提供し得、番組ガイドクライアントは、選好プロフィール（単数または複数）を満たす要素のみを表示することにより、それらのデータ、他の情報、または映像をフィルタリングし得る（工程２０３５）。）」との記載からすると、ユーザの定義などによりユーザの「選好プロフィール」は取得され、ユーザの「選好プロフィール」に基づく「番組ガイドデータ」の抽出を「ユーザテレビ機器」から「番組ガイドサーバ」に要求しているのは自明であるから、引用文献には、
「ユーザの選好プロフィールを取得するステップと、ユーザの選好プロフィールに基づいて、ユーザテレビ機器から番組ガイドサーバに番組ガイドデータを要求するステップ」
が記載されていると解される。
　　
（エ）上記Ｄの「[0060]  A more generalized embodiment of user television equipment  22  of  FIG. 3  is shown in  FIG. 4 . As shown in  FIG. 4 , program guide data from television distribution facility  16  ( FIG. 1 ) and programming are received by control circuitry  42  of user television equipment  22 . The functions of control circuitry  42  may be provided using the set-top box arrangement of  FIGS. 2a  and  2b . Alternatively, these functions may be integrated into an advanced television receiver, personal computer television (PC/TV) such as shown in  FIG. 2c , or any other suitable arrangement. If desired, a combination of such arrangements may be used.
 …（中略）…
[0062]  User television equipment  22  may also have memory  63 . Memory  63  may be any memory or other storage device, such as a random access memory (RAM), read only memory (ROM), flash memory, a hard disk drive, a combination of such devices, etc., that is suitable for storing program guide client instructions and program guide data for use by control circuitry  42 .（訳；[0060]　図４は、図３のユーザテレビ機器２２の実施形態をより一般化したものである。図４に示すように、テレビ配信設備１６（図１）からの番組ガイドデータおよび番組は、ユーザテレビ機器２２の制御回路４２により受信される。制御回路４２の機能は、図２ａおよび２ｂのセットトップボックス構成を用いて提供され得る。あるいは、制御回路４２の機能は、高度なテレビ受信器、図２ｃに示すようなパーソナルコンピュータテレビ（ＰＣ／ＴＶ）、または他のあらゆる適切な構成に組み込まれ得る。所望ならば、このような構成の組み合せを用いてもよい。…（中略）…[0062]　ユーザテレビ機器２２はまた、メモリ６３も有し得る。メモリ６３は、制御回路４２により用いられる番組ガイドクライアントの命令および番組ガイドデータを格納するのに適切な任意のメモリまたは他の格納デバイス（例えば、ランダムアクセスメモリ（ＲＡＭ）、読み出し専用メモリ（ＲＯＭ）、フラッシュメモリ、ハードディスクドライブ、このようなデバイスの組み合せ等）であり得る。）」との記載からすると、「ユーザテレビ機器」は受信した「番組ガイドデータ」を格納するための「メモリ」を備えていると解される。
　また、上記Ｅの「[0111]  The program guide may make personalized viewing recommendations based on the viewing histories, preference profiles, or any suitable combination thereof. …（中略）…　In still another suitable approach, program guide server  25  or the program guide client may filter viewing recommendations that are generated by main facility  12  or television distribution facility  16  based on similar expressions, profiles, viewing histories, etc.（訳；[0111]　番組ガイドは、視聴履歴、選好プロフィール、またはこれらの任意の適切な組み合せに基づいて、個人用にされた視聴推薦を行い得る。…（中略）…。さらに別のアプローチにおいて、番組ガイドサーバ２５または番組ガイドクライアントは、同様の式、プロフィール、視聴履歴等に基づいて、主設備１２またはテレビ配信設備１６によって生成される視聴推薦をフィルタリングし得る。）」との記載からすると、「番組ガイドサーバ」が提供する「番組ガイドデータ」はユーザの「選好プロフィール」のほか、「視聴履歴」に基づき抽出されるものと解されるから、引用文献には、
「抽出した番組ガイドデータを番組ガイドサーバからユーザテレビ機器に送信し、ユーザテレビ機器のメモリにユーザの選好プロフィール、視聴履歴等に基づいて格納するステップ」
が記載されていると解される。
　　
　以上、（ア）乃至（エ）で指摘した事項から、引用文献には、次の発明（以下、「引用発明」という。）が記載されているものと認める。
　　
「テレビ番組を受信するユーザテレビ機器と、番組識別子を含む番組ガイドデータを提供する番組ガイドサーバとが通信経路を通じて接続された双方向テレビ番組ガイド機器で用いられる番組ガイドデータ提供方法であって、
　ユーザの選好プロフィールを取得するステップと、
　ユーザの前記選好プロフィールに基づいて、前記ユーザテレビ機器から前記番組ガイドサーバに番組ガイドデータを要求するステップと、
　前記番組ガイドサーバが備える格納デバイスから、ユーザの前記選好プロフィール、視聴履歴等に基づき番組ガイドデータを抽出するステップと、
　抽出した番組ガイドデータを前記番組ガイドサーバから前記ユーザテレビ機器に送信し、前記ユーザテレビ機器のメモリにユーザの前記選好プロフィール、視聴履歴等に基づいて格納するステップと、
　を有することを特徴とする、番組ガイドデータの提供方法。」
　　
　　
（３）参考文献
　　
（３−１）参考文献１に記載されている技術的事項
　　
　本願の出願前に頒布され、上記平成２４年５月１０日付けの原審の拒絶査定において引用された、特開２００６−８０６８０号公報（平成１８年３月２３日出願公開、以下、「参考文献１」という。）には、関連する図面とともに、以下の技術的事項が記載されている。
　　
Ｇ　「【０１６４】
〈番組検索パターンにおける動作〉
　次に、図８および図９に示すフローチャートを参照して、番組検索パターンにおける動作について説明する（適宜、図１参照）。まず、図８（ａ）に示したフローチャートを参照して、番組検索から検索結果表示までの動作から説明する。
…（中略）…。
【０１６６】
　ここで、ステップＳ１０５およびステップＳ１０６を実行する際に、番組の検索する時間範囲を３日／１週間のように設定することができる（ＲＤＲ［Ｒｅｔｒｉｅｖｅ　Ｄａｔｅ　Ｒａｕｇｅ］）。そして、デジタル放送受信装置１は、主制御手段９によって、視聴者が設定した許容待ち時間の範囲で、番組情報に含まれており、且つ、設定された時間範囲にある全番組の番組名と番組記述とを検索し、合致（一致）した番組を求める。」
　　
（３−２）参考文献２に記載されている技術的事項
　　
　本願の出願前に頒布され、上記平成２４年５月１０日付けの原審の拒絶査定において引用された、特開２００６−９４０１８号公報（平成１８年４月６日出願公開、以下、「参考文献２」という。）には、関連する図面とともに、以下の技術的事項が記載されている。
　　
Ｈ　「【０１４９】
　なお、合致度を算出する上においては、キーワード種別ごとに適宜重みをかけてもよい。例えば、タイトルに重みＧをつける場合は、３×Ｇ＝３Ｇがタイトルの平均値となる。タイトルに重みをつけた場合には、ユーザが過去に視聴した番組の合致度が高くなる。一方、出演者に重みをつけた場合には、出演者に重きをおいた推薦が可能になる。
【０１５０】
　また、この場合には、ジャンル別に重みのかけ方をかえても良い。例えば、連続ドラマの場合には、繰り返し同じタイトルの番組を視聴する可能性が高いので、タイトルに重みをつけてもよい。また、映画の場合には、タイトルがさまざまなので、出演者や単語に重みをつけた方が、ユーザがよく見る俳優が出演する映画や、よく見る内容の映画を推薦することが可能になる。」
　　
（３−３）参考文献３に記載されている技術的事項
　　
　本願の出願前に頒布された、特開２００６−５０３２２号公報（平成１８年２月１６日出願公開、以下、「参考文献３」という。）には、関連する図面とともに、以下の技術的事項が記載されている。
　　
Ｊ　「【０００８】
＜第１の実施の形態＞
　図２は本発明に係るユーザ嗜好情報提供システムの第１の実施の形態の概略構成図である。同図において、操作手段としてのリモコン１は学習機能搭載ＶＤＲ２を遠隔操作するもので、ユーザがリモコン１を操作することによって、自分の好む番組の選局や再生・録画の操作をすることができる。学習機能搭載ＶＤＲ２は、放送局３から伝送される放送電波の間に付加されている電子的なテレビジョン番組表に相当するＥＰＧデータ４を取得するようになっている。学習機能搭載ＶＤＲ２は、ユーザが視聴する番組の選局及びリモコン１による操作の各履歴データとＥＰＧデータ４とに基づいてユーザの嗜好を学習し、推薦番組データ（以下、単に推薦番組とも言う）５を抽出する。そして、学習機能搭載ＶＤＲ２はそれ自体をインターネット６に接続し、推薦番組データ５をキーとして番組情報提供会社の番組情報提供サーバ７より、推薦番組に一致するより詳細な情報、すなわち、ユーザの嗜好に合った情報を取得する。このとき、推薦番組に付加する嗜好情報８が番組情報提供サーバ７から学習機能搭載ＶＤＲ２に送られ、学習機能搭載ＶＤＲ２は推薦番組及び嗜好情報８をテレビなどの表示装置９に表示する。ユーザは表示装置９の映像によって推薦番組と嗜好情報８を確認することができる。」
　　
　　
（４）本件補正発明と引用発明との対比
　　
　本件補正発明と引用発明とを対比する。
　　
（４−１）引用発明の「テレビ番組」、「番組識別子」、「通信経路」は、本件補正発明の「放送番組」、「放送番組毎に固有の識別子」、「通信網」に相当する。また、引用発明の「番組ガイドデータ」は放送されるテレビ番組毎の情報を含むことは自明であるから、引用発明の「番組ガイドデータ」は本件補正発明の「番組情報」に相当する。そして、引用発明の「ユーザテレビ機器」は「通信経路」を通じて「番組ガイドデータ」を提供する「番組ガイドサーバ」と接続され、「双方向テレビ番組ガイド機器」は「ユーザテレビ機器」や「番組ガイドサーバ」などから構成されている。
　してみると、引用発明の「ユーザテレビ機器」、「番組ガイドサーバ」、「双方向テレビ番組ガイド機器」は、本件補正発明の「放送受信端末」、「リゾルバサーバ」、「番組情報検索システム」に相当し、引用発明では「番組ガイドデータ」を「番組ガイドサーバ」において検索し、「ユーザテレビ機器」に提供することから、引用発明の「テレビ番組を受信するユーザテレビ機器と、番組識別子を含む番組ガイドデータを提供する番組ガイドサーバとが通信経路を通じて接続された双方向テレビ番組ガイド機器で用いられる番組ガイドデータ提供方法」は、本件補正発明の「放送番組を受信する放送受信端末と、放送番組毎に固有の識別子が付された番組情報を提供するリゾルバサーバとが通信網を介して接続された番組情報検索システムで用いられる番組情報検索方法」に相当する。
　　
（４−２）引用発明の「ユーザの選好プロフィール」は、上記Ｆの記載からすると、ユーザが選択または定義した様々な番組特性の所望度レベルを含み得ることから、本件補正発明の「嗜好情報」に相当する。
　してみると、引用発明の「ユーザの選好プロフィールを取得するステップ」と、本件補正発明の「ユーザーの嗜好情報と前記リゾルバサーバが番組情報を抽出する際の所定の環境条件とを取得するステップ」とは、ともに、“ユーザーの嗜好情報を取得するステップ” である点で共通するといえる。
　また、引用発明の「ユーザの前記選好プロフィールに基づいて、前記ユーザテレビ機器から前記番組ガイドサーバに番組ガイドデータを要求するステップ」と、本件補正発明の「前記嗜好情報及び前記環境条件に基づいて、前記放送受信端末から前記リゾルバサーバに番組情報を要求するステップ」とは、ともに、“嗜好情報に基づいて、放送受信端末からリゾルバサーバに番組情報を要求するステップ” である点で共通するといえる。
　　
（４−３）引用発明の「格納デバイス」は、「番組ガイドサーバ」において「番組ガイドデータ」を記憶するための手段として利用されるから、本件補正発明の「マスター記憶部」に相当する。
　してみると、引用発明の「前記番組ガイドサーバが備える格納デバイスから、ユーザの前記選好プロフィール、視聴履歴等に基づき番組ガイドデータを抽出するステップ」と、本件補正発明の「前記リゾルバサーバが備えるマスター記憶部から、前記嗜好情報及び前記環境条件に適合する番組情報を前記識別子を用いて抽出するステップ」とは、ともに、“リゾルバサーバが備えるマスター記憶部から、嗜好情報等に適合する番組情報を抽出するステップ” である点で共通するといえる。
　　
（４−４）引用発明の「ユーザテレビ機器のメモリ」に格納する「番組ガイドデータ」は、「ユーザの前記選好プロフィール、視聴履歴等」に基づいて抽出されたものであり、本件補正発明の「放送受信端末のローカル記憶部」に記憶する「番組情報」は、「ユーザーの利用履歴」に応じて抽出されたものであるが、「ユーザの前記選好プロフィール、視聴履歴等」と「ユーザーの利用履歴」はユーザ固有の“ユーザー情報”である点で共通しているといえる。
　してみると、引用発明の「抽出した番組ガイドデータを前記番組ガイドサーバから前記ユーザテレビ機器に送信し、前記ユーザテレビ機器のメモリにユーザの前記選好プロフィール、視聴履歴等に基づいて格納するステップ」と、本件補正発明の「抽出した番組情報を前記リゾルバサーバから前記放送受信端末へ送信し、前記放送受信端末のローカル記憶部にユーザーの利用履歴に応じて記憶するステップ」とは、ともに、“抽出した番組情報をリゾルバサーバから放送受信端末へ送信し、前記放送受信端末のローカル記憶部にユーザー情報に応じて記憶するステップ” である点で共通するといえる。
　　
　以上から、本件補正発明と引用発明とは、以下の点で一致し、また、以下の点で相違する。
　　
（一致点）
　　
　放送番組を受信する放送受信端末と、放送番組毎に固有の識別子が付された番組情報を提供するリゾルバサーバとが通信網を介して接続された番組情報検索システムで用いられる番組情報検索方法であって、
　ユーザーの嗜好情報を取得するステップと、
　前記嗜好情報に基づいて、前記放送受信端末から前記リゾルバサーバに番組情報を要求するステップと、
　前記リゾルバサーバが備えるマスター記憶部から、前記嗜好情報等に適合する番組情報を抽出するステップと、
　抽出した番組情報を前記リゾルバサーバから前記放送受信端末へ送信し、前記放送受信端末のローカル記憶部にユーザー情報に応じて記憶するステップと、
　を有することを特徴とする、番組情報検索方法。
　　
（相違点１）
　　
　番組情報抽出のために取得する情報に関して、本件補正発明が、「ユーザーの嗜好情報と前記リゾルバサーバが番組情報を抽出する際の所定の環境条件とを取得する」のに対し、引用発明は、「ユーザの選好プロフィールを取得する」が、「所定の環境条件」を取得することについて特には記載されていない点。
　　
（相違点２）
　　
　ユーザー側端末からの番組情報検索の要求に関して、本件補正発明が、「前記嗜好情報及び前記環境条件に基づいて、前記放送受信端末から前記リゾルバサーバに番組情報を要求する」のに対し、引用発明は、「ユーザの前記選好プロフィールに基づいて、前記ユーザテレビ機器から前記番組ガイドサーバに番組ガイドデータを要求」しており、「環境条件」に基づいて「番組ガイドデータ」を要求することについて特には記載されていない点。
　　
（相違点３）
　　
　番組情報の検索処理に関して、本件補正発明が、「前記リゾルバサーバが備えるマスター記憶部から、前記嗜好情報及び前記環境条件に適合する番組情報を前記識別子を用いて抽出する」のに対し、引用発明は、「前記番組ガイドサーバが備える格納デバイスから、ユーザの前記選好プロフィール、視聴履歴等に基づき番組ガイドデータを抽出」しており、「番組ガイドデータ」の抽出を「環境条件」に基づいて行うことについて特に記載されておらず、「番組識別子」を用いて「番組ガイドデータ」の抽出を行っているかどうかも不明である点。
　　
（相違点４）
　　
　ユーザー側端末での番組情報の記憶に関して、本件補正発明が、「抽出した番組情報を前記リゾルバサーバから前記放送受信端末へ送信し、前記放送受信端末のローカル記憶部にユーザーの利用履歴に応じて記憶する」のに対し、引用発明は、「抽出した番組ガイドデータを前記番組ガイドサーバから前記ユーザテレビ機器に送信し、前記ユーザテレビ機器のメモリにユーザの前記選好プロフィール、視聴履歴等に基づいて格納」しており、「ユーザーの利用履歴」ではなく、「選好プロフィール、視聴履歴等」に応じて「メモリ」に「番組ガイドデータ」を格納している点。
　　
　　
（５）当審の判断
　　
　上記相違点１乃至相違点４について検討する。
　　
（５−１）相違点１及び相違点２について
　　
　参考文献１に、「番組の検索する時間範囲を３日／１週間のように設定することができる（ＲＤＲ［Ｒｅｔｒｉｅｖｅ　Ｄａｔｅ　Ｒａｕｇｅ］）。そして、デジタル放送受信装置１は、主制御手段９によって、視聴者が設定した許容待ち時間の範囲で、番組情報に含まれており、且つ、設定された時間範囲にある全番組の番組名と番組記述とを検索し、合致（一致）した番組を求める。」（上記Ｇ参照）と記載されているように、番組情報検索の技術分野において、期間を指定して番組情報を検索する旨の技術は本願出願日前には周知の技術であった。また、参考文献２に、「合致度を算出する上においては、キーワード種別ごとに適宜重みをかけてもよい。例えば、タイトルに重みＧをつける場合は、３×Ｇ＝３Ｇがタイトルの平均値となる。タイトルに重みをつけた場合には、ユーザが過去に視聴した番組の合致度が高くなる。一方、出演者に重みをつけた場合には、出演者に重きをおいた推薦が可能になる。」（上記Ｈ参照）と記載されているように、番組情報検索の技術分野において、キーワードに重みを付けて番組情報を検索する旨の技術も本願出願日前には周知の技術であった。すなわち、番組情報の検索をユーザが依頼する際に、期間やキーワード重みなどの検索の環境条件を指定し、検索を実行する旨の技術は、本願出願日（平成１８年１０月３日）前には周知の技術であった。
　そして、番組情報の検索をユーザが依頼する際に、嗜好情報以外に、期間やキーワード重みなどの環境条件を指定するか否かは、当業者であれば適宜選択しうる事項である。
　してみると、ユーザの選好プロフィールを取得して、ユーザの選好プロフィールに基づいて、番組ガイドサーバに番組ガイドデータを要求する引用発明においても、ユーザの選好プロフィール以外に番組情報の検索のための環境条件を取得し、ユーザの選好プロフィールに加えて環境条件に基づきユーザテレビ機器から番組ガイドサーバに番組ガイドデータを要求すること、すなわち、相違点１及び相違点２に係る構成とすることは、当業者が容易に想到し得たことである。
　　
　よって、相違点１及び相違点２は格別なものではない。　
　　
（５−２）相違点３について
　　
　上記（５−１）で検討した通り、番組情報の検索をユーザが依頼する際に、期間やキーワード重みなどの検索の環境条件を指定して検索を実行する旨の技術は、本願出願日（平成１８年１０月３日）前には周知の技術であった。
　そして、番組情報の検索をする際に、嗜好情報以外に、期間やキーワード重みなどの環境条件に基づいて実行するか否かは、当業者であれば適宜選択しうる事項である。
　また、引用発明における「番組識別子」は、「（２）引用文献に記載されている技術的事項及び引用発明の認定」のＡの記載からすると、個々のテレビ番組を識別するためのデータであると認められるから、「番組ガイドサーバ」における「番組ガイドデータ」の検索の際に用いられることは明らかである。
　してみると、番組ガイドサーバが備える格納デバイスから、番組ガイドデータを抽出する引用発明において、ユーザの選好プロフィール、視聴履歴等に基づき番組ガイドデータを検索することに換えて、嗜好情報及び環境条件に基づき番組ガイドデータを番組識別子を用いて検索すること、すなわち、相違点３に係る構成とすることは、当業者が容易に想到し得たことである。
　　
よって、相違点３は格別なものではない。
　　
（５−３）相違点４について
　　
　ここで、本件補正発明の「放送受信端末のローカル記憶部にユーザーの利用履歴に応じて記憶する」が特定する事項について検討すると、「ユーザーの利用履歴」を「番組情報」の検索に活用することについて、本願明細書には、以下の記載がある。
「【００７９】
　図８は、ローカルＣＲＩＤデータベース１４７８にＧ−ＣＲＩＤが蓄積される流れを詳細に示す模式図である。図８に示すように、ローカルＣＲＩＤデータベース１４７８へのＧ−ＣＲＩＤの蓄積は、嗜好情報または利用履歴に基づいて行われる。
【００８０】
　ユーザーが放送受信端末１４００を用いて番組情報を利用すると、番組情報の利用に応じてユーザーの嗜好情報が蓄積される。また、利用したＧ−ＣＲＩＤが既にローカルＣＲＩＤデータベース１４７８に存在する場合、Ｇ−ＣＲＩＤの利用履歴が残される。ここで、番組情報の利用とは、例えば、番組の詳細情報の閲覧、番組情報のお気に入りリストへの追加、予約録画等の操作が挙げられる。蓄積される嗜好情報、利用履歴としては、利用された番組情報に対応するＧ−ＣＲＩＤが該当する。これらの嗜好情報、利用履歴は、ローカルＣＲＩＤデータベース１４７８に蓄積される。
…（中略）…
【０１０３】
　また、ユーザーの嗜好情報の取得は、主として嗜好分析管理部１４９０によって行われる。思考分析管理部１４９０のユーザープロファイル・操作履歴編集機能部１４９２は、ユーザーによる操作の履歴、利用履歴などを取得する。嗜好分析エンジン１４９４は、操作履歴、利用履歴に基づいてユーザーの嗜好を分析する。ユーザーの操作履歴、利用履歴は、ユーザー操作履歴ファイル１４９６に格納される。また、ユーザーの嗜好情報は、ユーザープロファイルに格納される。
…（中略）…
【０１１７】
　図１６及び図１７は、放送受信端末１４００のローカルＣＲＩＤデータベース１４７８におけるＧ−ＣＲＩＤの蓄積方法を示すフローチャートである。ここで、図１６は、放送受信端末１４００における番組情報の利用履歴に基づいて、ユーザーの嗜好を抽出する処理を示すフローチャートである。先ずステップＳ２１では、利用履歴のあるＣＲＩＤが存在するか否かを判定し、履歴ＣＲＩＤが存在する場合はステップＳ２２へ進む。一方、履歴ＣＲＩＤが存在しない場合は、処理を終了する(END)。
【０１１８】
　ステップＳ２２では、利用履歴のあるＣＲＩＤと対応付けられているメタデータを収集する。次のステップＳ２３では、メタデータに含まれるジャンル、キーワードなどの情報をもとに、ユーザーが好むと思われる、好適ジャンル、好適キーワードなどを推論し、抽出する。ステップＳ２３の後はステップＳ２１へ戻る。図１６の処理によれば、利用履歴のあるＧ−ＣＲＩＤに基づいて、ユーザーの嗜好を抽出することができる。」
　上記の記載からすると、本件補正発明で「抽出した番組情報」を「放送受信端末のローカル記憶部にユーザーの利用履歴に応じて記憶する」と特定している事項は、「番組情報」を「ユーザーの利用履歴に応じて」直接的に抽出するものではなく、「ユーザーの利用履歴」に基づいて「ユーザーの嗜好情報」を推定し、「ユーザーの嗜好情報」に応じた「番組情報」を抽出して、「放送受信端末」の「ローカル記憶部」に記憶するものであると認められる。
　一方、参考文献３に、「学習機能搭載ＶＤＲ２は、ユーザが視聴する番組の選局及びリモコン１による操作の各履歴データとＥＰＧデータ４とに基づいてユーザの嗜好を学習し、推薦番組データ（以下、単に推薦番組とも言う）５を抽出する。そして、学習機能搭載ＶＤＲ２はそれ自体をインターネット６に接続し、推薦番組データ５をキーとして番組情報提供会社の番組情報提供サーバ７より、推薦番組に一致するより詳細な情報、すなわち、ユーザの嗜好に合った情報を取得する。」（上記Ｊ参照）と記載されているように、番組情報の検索の技術分野において、ユーザの番組の視聴履歴データに基づいてユーザの嗜好を推定して番組を推薦する旨の技術は本願出願日（平成１８年１０月３日）前には周知の技術であった。
　してみると、抽出した番組ガイドデータをユーザテレビ機器のメモリに格納する引用発明において、抽出した番組ガイドデータをユーザテレビ機器のメモリにユーザの選好プロフィール、視聴履歴等に基づいて格納することに換えて、ユーザテレビ機器のメモリにユーザの利用履歴に基づいて推定された選好プロフィールに応じて格納すること、すなわち、相違点４に係る構成とすることは、当業者が容易に想到し得たことである。
　　
　よって、相違点４は格別なものではない。
　　
（５−４）小括
　　
　上記で検討したごとく、相違点１乃至相違点４は格別のものではなく、そして、これらの相違点を総合的に勘案しても、本件補正発明の奏する作用効果は、上記引用発明及び周知技術の奏する作用効果から予測される範囲内のものにすぎず、格別顕著なものということはできない。
　　
　したがって、本件補正発明は、上記引用発明及び周知技術に基づいて、当業者が容易に発明をすることができたものであり、特許法第２９条第２項の規定により、特許出願の際独立して特許を受けることができない。
　　
　　
５．むすび 
　　
　以上のように、本件補正は、上記「２．新規事項追加禁止要件」で指摘したとおり、当初明細書等に記載した事項の範囲内においてしたものでないものを含む補正であるから、平成１８年法律第５５号改正附則第３条第１項の規定によりなお従前の例によるとされる同法による改正前の特許法第１７条の２第３項の規定に違反するので、同法第１５９条第１項において読み替えて準用する同法第５３条第１項の規定により却下すべきものである。 
　また、仮に本件補正が、当初明細書等に記載した事項の範囲内においてなされたものであると仮定した場合であっても、本件補正は、上記「４．独立特許要件」で指摘したとおり、補正後の請求項１２に記載された発明は、特許出願の際独立して特許を受けることができるものではないから、平成１８年法律第５５号改正附則第３条第１項の規定によりなお従前の例によるとされる同法による改正前の特許法第１７条の２第５項の規定において準用する同法第１２６条第５項の規定に違反するので、同法第１５９条第１項において読み替えて準用する同法第５３条第１項の規定により却下すべきものである。 
 　　 
　よって、上記補正却下の決定の結論のとおり決定する。
　　
　　
第３　本件審判請求の成否について  
  　
１．本願発明の認定 
  　
　平成２４年８月１５日付けの手続補正は上記のとおり却下されたので、本件補正後の請求項１２に対応する本件補正前の請求項に係る発明（以下、「本願発明」という。）は、平成２３年１１月１４日付け手続補正書の特許請求の範囲の請求項１６に記載された事項により特定される、以下のとおりのものである。
　　
「放送番組を受信する放送受信端末と、放送番組毎に固有の識別子が付された番組情報を提供するリゾルバサーバとが通信網を介して接続された番組情報検索システムで用いられる番組情報検索方法であって、
　ユーザーの嗜好情報と前記リゾルバサーバが番組情報を抽出する際の所定の環境条件とを取得するステップと、
　前記嗜好情報及び前記環境条件に基づいて、前記放送受信端末から前記リゾルバサーバに番組情報を要求するステップと、
　前記リゾルバサーバが備えるマスター記憶部から、前記嗜好情報及び前記環境条件に適合する番組情報を前記識別子を用いて抽出するステップと、
　抽出した番組情報を前記リゾルバサーバから前記放送受信端末へ送信し、前記放送受信端末のローカル記憶部に記憶するステップと、
　を有することを特徴とする、番組情報検索方法。」 
　　
２．引用文献に記載されている技術的事項及び引用発明の認定 
　　
　原査定の拒絶の理由に引用された、引用文献およびその記載事項は、前記「第２　平成２４年８月１５日付けの手続補正についての補正却下の決定」の「４．独立特許要件」の「（２）引用文献に記載されている技術的事項及び引用発明の認定」に記載したとおりである。 
　　
３．対比・判断  
　　
　本願発明は、前記「第２　平成２４年８月１５日付けの手続補正についての補正却下の決定」の「４．独立特許要件」で検討した本件補正発明の「抽出した番組情報を前記リゾルバサーバから前記放送受信端末へ送信し、前記放送受信端末のローカル記憶部にユーザーの利用履歴に応じて記憶するステップ」から「ユーザーの利用履歴に応じて」を削除したものである。
　そうすると、本願発明の発明特定事項を全て含む本件補正発明が、前記「第２　平成２４年８月１５日付けの手続補正についての補正却下の決定」の「４．独立特許要件」の「（２）引用文献に記載されている技術的事項及び引用発明の認定」乃至「（５）当審の判断」に記載したとおり、引用発明及び周知技術に基づいて当業者が容易に発明をすることができたものであるから、上記特定の限定を省いた本願発明も同様の理由により、引用発明及び周知技術に基づいて、当業者が容易に発明をすることができたものである。 
　　
４．むすび 
　　
　以上のとおり、本願の請求項１６に係る発明は、特許法第２９条第２項の規定により特許を受けることができないものであるから、その余の請求項に係る発明について検討するまでもなく、本願は拒絶すべきものである。 
　　
　よって、結論のとおり審決する。